(57)【特許請求の範囲】
【請求項１】
装置本体内に引き出し可能に設けられた画像形成用のユニットと、前記ユニット内の搬送路に設けたローラを手動で回転させて用紙を前記搬送路の下流方向へ移動させ用紙詰まりを解消するための回転操作部と、を有する画像形成装置において、前記搬送路で紙詰まりが発生した際に、その紙詰まりの用紙を取り出すために前記ユニットの引き出しを促す促し手段を有した誘導装置であって、
前記ユニットは、定着ユニットを含み、
この定着ユニットの下流側に引き出し可能に設けられた両面ユニットと、
前記搬送路に搬送されてくる用紙を検出する用紙検出手段と、
前記回転操作部の回転数を検出する回転数検出手段と、
前記用紙検出手段の用紙の検出と前記回転数検出手段の検出とに基づいて紙詰まりが発生したと判断された場合に、紙詰まりした用紙を取り出すために前記ユニットの引き出しを前記促し手段により促す制御部と、
を有し、
前記促し手段は、前記定着ユニット及び前記両面ユニットの前面と前記回転操作部に設けた発光部材を有し、この発光部材を点滅または点灯させて前記定着ユニット及び前記両面ユニットの引き出しを促すとともに、前記回転操作部の回転操作を促し、
前記制御部は、
前記定着ユニットにて紙詰まりが発生したと判断した場合に、紙詰まりの発生位置を表示し、前記回転操作部の回転操作を促し、前記回転操作部が回転操作されたことにより、前記用紙検出手段が用紙を検出しなくなったときには、前記両面ユニットの前記発光部材を点滅または点灯させて前記両面ユニットの引き出しを促し、
一方、前記回転操作部の回転操作により、前記回転数検出手段が規定回数を検出した際に、前記用紙検出手段が用紙を検出し続けているとき、前記定着ユニットと前記両面ユニットとの間に用紙が跨っていると判断して、前記定着ユニット及び前記両面ユニットの前記発光部材を点滅または点灯させて両ユニットの引き出しを促すことを特徴とする誘導装置。
【請求項２】
請求項１に記載の誘導装置を備えたことを特徴とする画像形成装置。
【発明の詳細な説明】
【技術分野】
【０００１】
この発明は、画像形成装置の誘導装置およびこの誘導装置を備えた画像形成装置に関するものである。
【背景技術】
【０００２】
従来から、紙詰まりした用紙を除去するための手回しノブを設けた画像形成装置が知られている（特許文献１参照）。
【０００３】
かかる画像形成装置は、用紙の搬送路に沿って用紙を検出する用紙検出センサを複数備えており、これら用紙検出センサの用紙の検出に基づいて用紙詰まり、いわゆるジャムが発生したか否かを判断している。ジャムが発生した場合には、手回しノブを回してジャム紙をローラニップから排出させる。これにより、用紙検出センサがジャム紙を検出しなくなると、ユニットの前面に設けた発光ダイオードを点滅させて、このユニットの引き出しを促すようになっている。
【０００４】
このユニットを引き出して、ローラニップから排出されたジャム紙を取り出すものである。
【発明の概要】
【発明が解決しようとする課題】
【０００５】
しかしながら、このような画像形成装置にあっては、手回しノブを回しても、ジャム紙が搬送経路周辺部に引っ掛かったりしていると、ジャム紙はローラニップから排出されないことがある。このような場合、用紙検出センサがジャム紙を検出し続けることになり、発光ダイオードを点滅表示させることができず、ユーザにユニットの引き出しが可能であることを知らせることができない。このため、ユーザはいつになってもジャム処理ができないことになる。
【０００６】
この発明の目的は、手回しノブを回してもジャム紙が搬送経路周辺部に引っ掛かった状態のままであっても、ユーザにユニットの引き出しを促すことのできる画像形成装置の誘導装置を提供することにある。
【課題を解決するための手段】
【０００７】
請求項１の発明は、装置本体内に引き出し可能に設けられた画像形成用のユニットと、前記ユニット内の搬送路に設けたローラを手動で回転させて用紙詰まりを解消するための回転操作部と、を有する画像形成装置において、前記搬送路で紙詰まりが発生した際に、その紙詰まりの用紙を取り出すために前記ユニットの引き出しを促す誘導装置であって、
前記搬送路に搬送されてくる用紙を検出する用紙検出手段と、
この用紙検出手段の用紙の検出に基づいて紙詰まりが発生したと判断された場合に前記回転操作部を回転操作して前記用紙検出手段が用紙を検出しなくなったときに、紙詰まりした用紙を取り出すために前記ユニットの引き出しを促す促し手段とを備え、
この促し手段は、前記回転操作部が規定回数回された際に、前記用紙検出手段が用紙を検出しているときも、前記ユニットの引き出しを促すことを特徴とする。
【発明の効果】
【０００８】
この発明によれば、ジャム紙が搬送経路周辺部に引っ掛かった状態のままであっても、ユーザにユニットの引き出しを促すことができる。
【図面の簡単な説明】
【０００９】
【図１】この発明に係る実施例１の誘導装置を搭載した画像形成装置の前カバードアを開けた状態を示した斜視図である。
【図２】定着ユニットと両面ユニットの構成を概略的に示した説明図である。
【図３】画像形成装置の制御系の構成を示すブロック図である。
【図４】定着ユニットに設けた誘導装置の構成を示す回路図である。
【図４Ａ】両面ユニットに設けた誘導装置の構成を示す回路図である。
【図５】図４に示す誘導装置の動作を示すフロー図である。
【図６】実施例２の画像形成装置の制御系の構成を示すブロック図である。
【発明を実施するための形態】
【００１０】
以下、この発明に係る誘導装置を搭載した画像形成装置の実施の形態である実施例を図面に基づいて説明する。
【実施例１】
【００１１】
図１は、画像形成装置１０を示すものである。この画像形成装置１０は、装置本体１１内に設けたユニットである定着ユニット２０と用紙Ｐ（図２参照）の両面に画像を形成するための両面ユニット３０と他のユニット４０とを有している。定着ユニット２０及び両面ユニット３０は画像形成用のユニットであり、装置本体１１から引き出し可能となっている。定着ユニット２０は両面ユニット３０の上流側に配置されている。
【００１２】
装置本体１１の上面には、原稿を載置するコンタクトガラス１２と操作表示部１３が設けられている。
【００１３】
［定着ユニット］
定着ユニット２０の前面２０Ａには、発光ダイオードＬＥＤ１〜ＬＥＤ４と、手回しノブ（回転操作部）２１と、手回しノブ２１の手動操作を促す発光ダイオードＬＥＤ１０とが設けられている。発光ダイオードＬＥＤ１〜ＬＥＤ４は、後述する用紙Ｐの搬送路Ｕ１,Ｕ２（図２参照）に沿って設けられている。
【００１４】
手回しノブ２１は、回転させることにより図２に示す搬送路Ｕ１の各対のローラ（Ｒ１,Ｒ１）、（Ｒ２,Ｒ２）を回転させていくものであり、これら各対のローラ（Ｒ１,Ｒ１）、（Ｒ２,Ｒ２）の回転により紙詰まりしている用紙を下流側へ移動させていく。これによって、用紙詰まりの解消、つまりジャム処理が行えるようにするものである。なお、一対のローラ（Ｒ１,Ｒ１）をローラ対Ｒ１、一対のローラ（Ｒ２,Ｒ２）をローラ対Ｒ２として、他のローラも以下同様に表記する。
【００１５】
定着ユニット２０には、手回しノブ２１の回転を検出する回転検出部２５が設けられている。回転検出部２５は例えば１回転する毎にパルスを出力していくものであり、このパルス数をＣＰＵ３（図３参照）がカウントしていく。そして、回転検出部２５とＣＰＵ３とで手回しノブ２１の回転数を検出する回転数検出手段を構成する。
【００１６】
また、定着ユニット２０内には、図２に示すように、水平方向に沿って形成された搬送路Ｕ１と、この搬送路Ｕ１の排出口の近くから真下に向けて形成された搬送路Ｕ２とが設けられている。この搬送路Ｕ１に沿ってローラ対Ｒ１,Ｒ３と用紙検出センサＳ１とが設けられている。また、搬送路Ｕ２に沿ってローラ対Ｒ２と用紙検出センサＳ２とが設けられている。
【００１７】
定着ユニット２０には、ジャム状態を表示したり定着ユニット２０の引き出しを促したりする第１誘導回路６０（図４参照）が設けられている。
【００１８】
［両面ユニット］
図１に示すように、両面ユニット３０の前面には、搬送路Ｕ４,Ｕ５（図２参照）に沿って複数の発光ダイオードＬＥＤ５,６、ＬＥＤ７〜９が設けられている。
【００１９】
両面ユニット３０内には、図２に示すように、垂直方向に沿って形成された搬送路Ｕ３と、水平方向に沿って形成された搬送路Ｕ４,Ｕ５とが設けられている。搬送路Ｕ３の上部には用紙検出センサＳ３が設けられており、搬送路Ｕ４に沿ってローラ対Ｒ４と用紙検出センサＳ４とが設けられている。また、搬送路Ｕ５に沿ってローラ対Ｒ５と用紙検出センサＳ５とが設けられている。
【００２０】
両面ユニット３０には、ジャム状態を表示したり両面ユニット３０の引き出しを促したりする第２誘導回路１６０（図４Ａ参照）が設けられている。
【００２１】
［制御系］
図３は画像形成装置１０の制御系の構成を示すブロック図を示す。この画像形成装置１０の制御系は、商用電源ＡＣ１００Ｖと接続するコンセント１と、商用電源から直流電源に変換するＤＣ電源部２と、定着ユニット２０,両面ユニット３０や他の装置等を制御する制御部６等とを備えている。
【００２２】
制御部６は、画像形成に必要な各種の制御を行うＣＰＵ３と、ＣＰＵ３が実行するプログラムが格納されているＲＯＭ４と、ワークメモリとして使用するＲＡＭ５等とを有している。
【００２３】
［第１誘導回路］
第１誘導回路６０は、図４に示すように、用紙検出センサＳ１,Ｓ２と、発光ダイオードＬＥＤ１〜ＬＥＤ４,ＬＥＤ１０と、ＬＥＤ点滅回路６１と、コンデンサ６２と、抵抗６３と、内部コネクタ６４と、赤外送受信部６５等とを有している。内部コネクタ６４は定着ユニット２０の後面に設けられており、装置本体１１に設けた本体コネクタ７０に接続されている。定着ユニット２０を装置本体１１から引き出すと、内部コネクタ６４は本体コネクタ７０から外れ、定着ユニット２０を装置本体１１に装着すると、内部コネクタ６４は本体コネクタ７０に接続されるようになっている。
【００２４】
コンデンサ６２は、内部コネクタ６４が本体コネクタ７０に接続されている間、ＤＣ電源部２によって充電されるようになっている。
【００２５】
用紙検出センサＳ１,Ｓ２が検出した検出信号は、内部コネクタ６４及び本体コネクタ７０を介して制御部６のＣＰＵ３に入力する。ＣＰＵ３は、その検出信号に基づいてジャムの発生やその位置を求め、その位置の発光ダイオードＬＥＤ１〜ＬＥＤ４を点滅させる点滅信号や点灯信号を本体コネクタ７０及び内部コネクタ６４を介してＬＥＤ点滅回路６１へ送信する。また、ＣＰＵ３はその検出信号に基づいて手回しノブ２１を回転させることを指示する発光ダイオードＬＥＤ１０を点滅させる点滅信号や点灯信号を本体コネクタ７０及び内部コネクタ６４を介してＬＥＤ点滅回路６１へ送信する。
【００２６】
ＬＥＤ点滅回路６１は点滅信号や点灯信号に基づいてジャム位置にある発光ダイオードＬＥＤ１〜ＬＥＤ４や手回しノブ２１の回転を促すＬＥＤ１０を点滅や点灯させる。
【００２７】
定着ユニット２０が装置本体１１から引き出されると、内部コネクタ６４が本体コネクタ７０から外れて電源が切断される。しかし、コンデンサ６２の充電電流によりＬＥＤ点滅回路６１は動作し続け、発光ダイオードＬＥＤ１〜ＬＥＤ４,ＬＥＤ１０は点滅や点灯され続けることになる。
【００２８】
また、用紙検出センサＳ１,Ｓ２が検出した検出信号は、内部コネクタ６４と本体コネクタ７０との非接続状態でも、赤外送受信部６５及び装置本体１１の赤外送受信部７１を介してＣＰＵ３へ入力される。ＣＰＵ３は、用紙検出センサＳ１,Ｓ２の検出信号に基づいてジャム処理が完了したことや用紙が残っていることなどを判断して、発光ダイオードＬＥＤ１〜ＬＥＤ４,ＬＥＤ１０の点滅や点灯や消灯させる信号を出力する。この信号は赤外送受信部７１及び赤外送受信部６５を介してＬＥＤ点滅回路６１へ入力される。
【００２９】
ＬＥＤ点滅回路６１は、入力した信号に基づいて、発光ダイオードＬＥＤ１〜ＬＥＤ４,ＬＥＤ１０の点滅や点灯や消灯させ、これにより、定着ユニット２０の引き出しを促したり、ジャム処理が完了したことを知らせたりする。
【００３０】
［第２誘導回路］
第２誘導回路１６０は、図４Ａに示すように、用紙検出センサＳ３〜Ｓ５と、発光ダイオードＬＥＤ５〜ＬＥＤ９と、ＬＥＤ点滅回路１６１と、コンデンサ１６２と、抵抗１６３と、内部コネクタ１６４と、赤外送受信部１６５等とを有している。内部コネクタ１６４は定着ユニット２０の後面に設けられており、装置本体１１に設けた本体コネクタ１７０に接続されている。
【００３１】
第２誘導回路１６０は、第１誘導回路６０と同様な動作を行うので、その説明は省略する。
【００３２】
そして、この実施例では、第１誘導回路６０と第２誘導回路１６０と制御部６とで誘導装置が構成される。
【００３３】
［動  作］
次に、上記のように構成される画像形成装置１０の動作を説明する。
画像形成装置１０が正常に動作している場合には、用紙Ｐが定着ユニット２０や両面ユニット３０の搬送路Ｕ１〜Ｕ５を通る毎に、用紙検出センサＳ１〜Ｓ５がこれを検出して検出信号を出力していく。ジャム（用紙詰まり）が発生すると、用紙検出センサＳ１〜Ｓ５のいずれかがあるタイミングで検出信号を出力しなくなり、その用紙検出センサＳ１〜Ｓ５の手前でジャムが発生したとＣＰＵ３が判断する。また、用紙検出センサＳ１〜Ｓ５のいずれかが検出信号を出力し続けた場合にも、その用紙検出センサＳ１〜Ｓ５の位置でジャムが発生したとＣＰＵ３が判断する。
【００３４】
ＣＰＵ３は、用紙検出センサＳ１〜Ｓ５の検出信号に基づいて、装置本体１１の操作表示部１３にジャムが発生したことを表示するとともにそのジャムの位置を表示させる。
【００３５】
またＣＰＵ３は、定着ユニット２０の発光ダイオードＬＥＤ１〜ＬＥＤ５や、両面ユニット３０の発光ダイオードＬＥＤ５〜ＬＥＤ９のいずれかを点滅または点灯させて、ジャムが発生した位置を表示する。さらに、手回しノブ２１の回転操作を促す発光ダイオードＬＥＤ１０を点滅または点灯させる。
【００３６】
いま、例えば、用紙検出センサＳ２が検出信号を出力し続けたとした場合、すなわち、用紙検出センサＳ２の位置でジャムが発生した場合について、図５に示すフロー図に基づいて説明する。
【００３７】
ステップ１では、ジャムの発生により、装置本体１１の操作表示部１３にジャムが発生したことが表示されるとともに、そのジャムが発生した位置が表示される。また、発光ダイオードＬＥＤ４が点滅または点灯される。
【００３８】
ステップ２では、ユーザは装置本体１１の操作表示部１３の表示を見て図１に示すように装置本体１１の前カバードア１５を開ける。
【００３９】
発光ダイオードＬＥＤ４が点滅または点灯されているので、ユーザは定着ユニット２０の発光ダイオードＬＥＤ４の近傍でジャムが発生していることが分かる。
【００４０】
ステップ３では、発光ダイオードＬＥＤ１０が点滅または点灯される。この発光ダイオードＬＥＤ１０の点滅または点灯により、手回しノブ２１を回転操作することが促される。
【００４１】
ステップ４では、発光ダイオードＬＥＤ１０の点滅または点灯による促しにより、ユーザは手回しノブ２１を手動で回していく。この手回しノブ２１の回転操作により、ローラ対Ｒ１,Ｒ２が回転していき、ジャム紙は下流側へ移動されていくことになる。すなわち、両面ユニット３０へ移動されていく。
【００４２】
ステップ５では、用紙検出センサＳ２がジャム紙を検出したか否か、すなわち、用紙検出センサＳ２がジャム紙を検出しなくなったか否かが判断される。イエスと判断されると、すなわちジャム紙が両面ユニット３０へ移動されるとステップ１０へ進む。
【００４３】
ステップ１０では、両面ユニット３０の発光ダイオードＬＥＤ５〜ＬＥＤ９が点滅または点灯され、両面ユニット３０の引き出しが促される。また、この際には用紙検出センサＳ２がオフしたことにより、発光ダイオードＬＥＤ４は消灯される。
【００４４】
ステップ１１では、ユーザにより両面ユニット３０が装置本体１１から引き出される。
【００４５】
ステップ１２では、ユーザによりジャム紙が除去される。この除去により、用紙検出センサＳ３は送りこまれたジャム紙を検出しなくなることにより、両面ユニット３０の発光ダイオードＬＥＤ５〜ＬＥＤ９は消灯される。
【００４６】
ステップ５でノーと判断されたとき、すなわち、用紙検出センサＳ２がジャム紙を検出し続けている場合、ステップ６へ進む。
【００４７】
ステップ６では、手回しノブ２１が規定回数だけ回されたとき、用紙検出センサＳ２がオフしたか否かが判断される。すなわち、手回しノブ２１を規定回数だけ回したとき、用紙検出センサＳ２がジャム紙を検出しているか否かが判断される。イエスと判断されると、ステップ１３へ進む。
【００４８】
ステップ１３では、両面ユニット３０の発光ダイオードＬＥＤ５〜ＬＥＤ９が点滅または点灯され、両面ユニット３０の引き出しが促される。また、この際には用紙検出センサＳ２がオフしたことにより、発光ダイオードＬＥＤ４は消灯される。
【００４９】
ステップ１４では、ユーザにより両面ユニット３０が装置本体１１から引き出される。
【００５０】
ステップ１５では、ユーザによりジャム紙が除去される。この除去により、用紙検出センサＳ３は送りこまれたジャム紙を検出しなくなることにより、両面ユニット３０の発光ダイオードＬＥＤ５〜ＬＥＤ９は消灯される。
【００５１】
ステップ６でノーと判断されたとき、すなわち、手回しノブ２１を規定回数回しても、用紙検出センサＳ２がジャム紙を検出し続けている場合にはステップ７へ進む。
【００５２】
ステップ７では、手回しノブ２１が規定回数回しても用紙検出センサＳ２がジャム紙を検出していることにより、用紙Ｐが図２に示すように定着ユニット２０と両面ユニット３０との間を跨がっていると判断される。このため、定着ユニット２０の発光ダイオードＬＥＤ１〜ＬＥＤ４と、両面ユニット３０の発光ダイオードＬＥＤ５〜ＬＥＤ９とが点滅または点灯される。この発光ダイオードＬＥＤ１〜ＬＥＤ４及び発光ダイオードＬＥＤ５〜ＬＥＤ９の点滅または点灯により、定着ユニット２０及び両面ユニット３０の引き出しをユーザに促すことになる。
【００５３】
ステップ８では、発光ダイオードＬＥＤ１〜ＬＥＤ９の点滅または点灯による促しにより、ユーザは定着ユニット２０及び両面ユニット３０を装置本体１１から引き出す。
【００５４】
ステップ９では、ユーザによりジャム紙が除去される。この除去により、用紙検出センサＳ２,Ｓ３はジャム紙を検出しなくなることにより、定着ユニット２０の発光ダイオードＬＥＤ１〜ＬＥＤ４と両面ユニット３０の発光ダイオードＬＥＤ５〜ＬＥＤ９は消灯される。
【００５５】
上述したように、ジャムが発生して手回しノブ２１を規定回数回したとき、用紙検出センサＳ２がジャム紙を検出し続けている場合でも、両ユニット２０,３０の発光ダイオードＬＥＤ１〜ＬＥＤ９を点滅または点灯させる。このため、定着ユニット２０及び両面ユニット３０の引き出しを促すことになり、従来のようにジャム処理がいつになっても行えないという問題は生じない。
【実施例２】
【００５６】
次に、実施例２の誘導装置を備えた像形成装置の制御系について図面に基づいて説明する。
【００５７】
図６は、実施例２の画像形成装置の制御系の構成を示すブロック図である。
定着ユニット２０において各ロータ対Ｒ１，Ｒ２，Ｒ３（図３参照）を回転させる図示を省略した駆動モータは、エンコーダ等の回転検知機構２００を備える。
【００５８】
ＣＰＵ３は、実施例１において説明したステップ６の処理を実行する際に、手回しノブ２１が規定回転数操作されたか否かの判断を行うのにあたり、その回転数の検出を、回転検知機構２００の出力に基づいて行う。すなわち、手回しノブ２１を回転させるのに伴って各ローラ対Ｒ１，Ｒ２，Ｒ３と共に、駆動モータ（図示省略）が一体的に回転し、その際のモータ回転数を回転検知機構２００が検出する。これらの回転数は比例関係にあるため、回転検知機構２００が検出する回転数により手回しノブ２１の回転数を検出することができる。
【００５９】
したがって、実施例２では、上記の実施例１で述べた効果に加え、手回しノブ２１の回転数を検出するセンサを省略して、コストダウンを図ることができるという効果が得られる。
【００６０】
以上説明した実施例では、ステップ６で用紙検出センサＳ２がジャム紙を検出している場合、両ユニット２０,３０の発光ダイオードＬＥＤ１〜ＬＥＤ９を点滅または点灯させるがこれに限るものではない。例えば、両用紙検出センサＳ２,Ｓ３がジャム紙を検出している場合に、両ユニット２０,３０の発光ダイオードＬＥＤ１〜ＬＥＤ９を点滅または点灯させるようにしてもよい。また、用紙検出センサＳ２のみがジャム紙を検出するときには、定着ユニット２０の発光ダイオードＬＥＤ１〜ＬＥＤ４のみを点滅または点灯させ、定着ユニット２０のみの引き出しを促すようにしてもよい。
【００６１】
上記実施例では、発光ダイオードＬＥＤ１〜ＬＥＤ１０を使用しているが、例えばランプなどの発光部材を使用してもよい。
【００６２】
この発明は、上記実施例に限られるものではなく、特許請求の範囲の発明の要旨を逸脱しない限り、設計の変更や追加等は許容される。
【符号の説明】
【００６３】
３            ＣＰＵ
６            制御部
１０            画像形成装置
２０            定着ユニット(ユニット)
２１            手回しノブ（回転操作部）
２５            回転検出部
３０            両面ユニット（ユニット）
６０            第１誘導回路
６１            ＬＥＤ点滅回路
６２            コンデンサ
１６０            第２誘導回路
１６１            ＬＥＤ点滅回路
１６２            コンデンサ
ＬＥＤ１〜ＬＥＤ９    発光ダイオード（促し手段：発光部材）
Ｓ１〜Ｓ５      用紙検出センサ（用紙検出手段）
Ｕ１〜Ｕ５      搬送路
Ｒ１〜Ｒ５      ローラ対（ローラ）
【先行技術文献】
【特許文献】
【００６４】
【特許文献１】特開２００６-１１３３０号公報
【図１】
0006776607.tif 000002
【図２】
0006776607.tif 000003
【図３】
0006776607.tif 000004
【図４】
0006776607.tif 000005
【図４Ａ】
0006776607.tif 000006
【図５】
0006776607.tif 000007
【図６】
0006776607.tif 000008